(57)【要約】【課題】  微細又は複雑であったり手書きであったりしても、画像に一致させてホットメルト層を容易に形成できる転写印刷方法を提供する。【解決手段】  インク３によって画像が形成された転写シートＩを用いて被転写物ＩＩに前記画像を転写する転写印刷方法において、水性顔料性のインク３と、加熱溶融性で、インク３の表面の全体に隙間なく付着できるグレードの粉体４とを準備し、非撥水性で、前記画像を形成して粉体４を振り掛けるまでの間、粉体４の付着性を保持するだけのインク３の非浸透性を有する転写シートＩを準備し、転写シートＩの表面にインク３によって前記画像を形成し、転写シートＩの表面に粉体４を振りかけてインク３の表面の全体に隙間なく粉体４を付着させた後、非画像形成部分の粉体４を除去して被転写物ＩＩに転写シートＩを重ね合わせ、前記画像形成部分を粉体４が溶融する温度で加熱・加圧して転写する方法である。【選択図】  図１
2019171840.tif 000002
【特許請求の範囲】
【請求項１】
インクによって画像が形成された転写シートを用いて被転写物に前記画像を転写する転写印刷方法において、
水性顔料性のインクと、加熱溶融性で、かつ、前記インクの表面の全体に隙間なく付着させるグレードの粉体とを準備するとともに、
非撥水性で、かつ、前記画像を形成して前記粉体を振り掛けるまでの間、前記粉体の付着性を保持するだけの前記インクの非浸透性を有する転写シートを準備し、
前記転写シートの表面に前記インクによって前記画像を形成し、
前記転写シートの表面に前記粉体を振りかけて前記インクの表面の全体に隙間なく前記粉体を付着させ、
非画像形成部分の前記粉体を除去して前記被転写物に前記転写シートを重ね合わせ、
前記画像形成部分を前記粉体が溶融する温度で加熱・加圧することで、前記転写シートの前記画像を前記被転写物に転写すること、
を特徴とする転写印刷方法。
【請求項２】
インクによって画像が形成された転写シートを用いて被転写物に前記画像を転写する転写印刷方法において、
水性顔料性のインクと加熱溶融性の粉体又は液体樹脂と前記転写シートとを準備し、
前記粉体又は液体樹脂を混合した前記インクで前記画像を形成し、
前記被転写物に前記転写シートを重ね合わせ、
前記画像形成部分を前記粉体が溶融する温度又は前記液体樹脂が固化又は硬化する温度で加熱・加圧することで、前記転写シートの前記画像を前記被転写物に転写すること、
を特徴とする転写印刷方法。
【請求項３】
粒径とその占有率とによって表される前記粉体の前記グレードが、粒径７５μm以下の占有率が８７％以上で、かつ、１５０μｍを越える粒径の粉体を含まないものであることを特徴とする請求項１又は２に記載の転写印刷方法。
【請求項４】
請求項１〜３のいずれかに記載の転写印刷方法によって前記被転写物に転写した前記画像の上に、金箔、銀箔、銅箔又はアルミ箔を含む箔を載せ、前記箔の上から前記画像形成部分を前記接着剤層が溶融する温度で加熱・加圧することで前記画像に前記箔を貼り付けた後、前記箔を前記被転写物から取り除くことで、前記画像形成部分のみに前記箔を貼着すること、
を特徴とする転写印刷方法。
【請求項５】
前記粉体がウレタン、アクリル、ポリエステル又はポリアミド若しくはこれらの樹脂粉体を含む混合体であり、前記液体樹脂が不飽和ポリエステル樹脂又はビニルエステル樹脂であることを特徴とする請求項１〜４のいずれかに記載の転写印刷方法。
【請求項６】
前記画像を複数に分けて形成し、第一の画像を形成した後に第二の画像を形成することを特徴とする請求項１〜５のいずれかに記載の転写印刷方法。
【発明の詳細な説明】
【技術分野】
【０００１】
本発明は、画像が形成された転写シートを用いて、布地などの被転写物に前記画像を転写する転写印刷方法に関する。
【背景技術】
【０００２】
画像を形成した転写シートを布地等の被転写物に重ね合わせ、加熱加圧することで前記画像を前記被転写物に転写する転写印刷方法（全面移行型転写印刷方法）が知られている。この種の転写印刷方法では、基材の表面に剥離層が形成された転写シートに画像を形成するとともに、ホットメルト層（接着剤層）を前記転写シートの全面に形成し、この転写シートを被転写物に加熱加圧して転写する方法が一般的である。しかし、前記ホットメルト層が画像とともに前記被転写物へ転写されて、画像以外の余白部分にもホットメルト層が被転写物に形成されてしまい、例えば被転写物が被服であるような場合には繊維の風合いが失われて不快感を与えるという問題がある。また、例えばガラスなどの透明な被転写物に転写印刷を行う場合に、画像を形成した部分以外の部分に
ホットメルト層が転写されてしまうと、当該部分の透光率が低下して被転写物の外観を損ねるという問題がある。そこで、形成した画像をなぞるように前記画像の上のみにホットメルト層を形成し、当該ホットメルト層とともに加熱加圧により前記画像を被転写物に転写する方法が提案されている（例えば特許文献１，２参照）。この方法によれば、画像を形成した部分以外の部分にはホットメルト層が形成されないため、上記の問題は解決することができる。
しかし、前記画像に完全に一致させてホットメルト層を形成することは困難で、特に画像が微細又は複雑である場合や手書きの場合には対応が非常に難しいという問題がある。また、ホットメルト層を形成するための特殊なプリンターが別途必要になったり、手作業で行う場合には多大な時間と労力を要したりするという問題もある。
【０００３】
そこで、特許文献３に記載の昇華捺染方法では、昇華捺染インクを用いて転写紙に画像を印刷し、その画像の上に熱溶融性の粉体を散布した後、余分な前記熱溶融性粉体を取り除いて、被転写物に重ね合わせ、加熱圧着して前記転写紙の画像を前記被転写物に昇華転写させるものである。
しかし、昇華転写印刷は高価な専用の印刷機が必要で、一般家庭で転写印刷を行うことは困難であるという問題がある。また、白色や淡色の生地との相性は良いが、茶色や黒色、紺色などの濃色の生地へ印刷すると、デザインが生地に沈み込んだような印象になってしまうため不向きであるという問題がある。さらに、印刷後の被転写物をアイロンがけ（再加熱）するとインクが気化してしまい、色落ちしやすいという問題がある。  また、特許文献４には、昇華捺染インクを用いた昇華転写のほかに、水性顔料性のインク（水性顔料インク）を用いた熱転写方法が記載されている。水性顔料インクを用いることで特許文献３に記載された昇華捺染方法の上記の欠点は解消することはできるもの、特許文献４に記載の方法で熱転写すると、画像のうちの一部でインクが転写されない部分（画像の部分欠落）が生じるため、転写品質が悪いという問題がある。特に、例えば０．５ｍｍといった微細な線や点を転写すると画像欠落が生じやすいという問題がある。
【先行技術文献】
【特許文献】
【０００４】
【特許文献１】特開２００４−３０８２８４号公報
【特許文献２】特許第６０７４５６３号公報
【特許文献３】特開平４−３０８２８４号公報
【特許文献４】米国特許出願公開第２０１７／０１２０６５２号明細書
【発明の開示】
【発明が解決しようとする課題】
【０００５】
本発明はこれら従来の技術が有する問題点を解決するべくなされたもので、画像が微細又は複雑であったり手書きであったりしても、当該画像に一致させてホットメルト層を容易に形成することが可能で、低コストで画像を形成した部分以外の部分にホットメルト層を形成することなく、被転写物の風合いの低下や転写後の被転写物の外観の低下などを最小に抑制することができる転写印刷方法の提供すること、接着性の粉体を用いて熱転写した場合に部分的な画像欠落が無く、微細な線や点であっても形成した画像をそのまま被転写物に転写することができ、再加熱した際にも色落ちが無い転写印刷方法の提供することを目的とする。
【課題を解決するための手段】
【０００６】
上記課題を解決するために本発明の発明者が鋭意研究を行ったところ、特許文献４に記載の熱転写方法で転写画像の一部欠落が生じる原因として接着剤となる樹脂粉体の粒子径が大きく関与しているとの結論に達した。すなわち、引用文献４には、２００μｍ未満の粒径を有する粉体を用いるとしているが、例えばキログラム単位で販売されている市販の樹脂粉体は、均一粒径の樹脂粉体の集合物ではなく、概ね１５０μｍ〜２５０μｍ内でばらつきのある樹脂粉体の集合物である。この大きさの樹脂粉体は粒子径が大きすぎて、インクの表面に樹脂粉体の隙間が生じやすく、当該隙間が欠落画像となるものと推測される。例えば、インクに直接付着せずに他の樹脂粉体の上に乗った形でインク上に振り掛けられた樹脂粉体が、転写紙を傾けたり振動を与えたりした際に、その自重によってインクの上から容易に脱落してしまい、当該脱落した部分が隙間となって画像欠落が生じると推測できる。そして、この画像欠落の大きさは、樹脂粉体の粒子径が大きいほど大きい。
【０００７】
このような推測の下、本発明の発明者は請求項１に記載するように、インクによって画像が形成された転写シートを用いて被転写物に前記画像を転写する転写印刷方法において、水性顔料性のインクと、加熱溶融性で、かつ、前記インクの表面の全体に隙間なく付着させるグレードの粉体とを準備するとともに、非撥水性で、かつ、前記画像を形成して前記粉体を振り掛けるまでの間、前記粉体の付着性を保持するだけの前記インクの非浸透性を有する転写シートを準備し、前記転写シートの表面に前記インクによって前記画像を形成し、前記転写シートの表面に前記粉体を振りかけて前記インクの表面の全体に隙間なく前記粉体を付着させ、非画像形成部分の前記粉体を除去して前記被転写物に前記転写シートを重ね合わせ、前記画像形成部分を前記粉体が溶融する温度で加熱・加圧することで、前記転写シートの前記画像を前記被転写物に転写する方法に想到した。
【０００８】
この方法によれば、画像が微細又は複雑であったり手書きであったりしても、当該画像に一致させてホットメルト層を容易に形成することができること、昇華印刷のように高価で専用の印刷機は不要であること、再加熱した際にも色落ちが無く、一般家庭においても好みの画像をＴシャツ等に転写印刷することが可能になること、画像を形成した部分以外の部分にホットメルト層を形成することなく、被転写物の風合いの低下や転写後の被転写物の外観の低下などを最小に抑制することができることなど、従来の転写印刷方法及び引用文献３に記載した昇華捺転写印刷方法の課題を解決することができる。そのほか、画像を形成したインクの表面に隙間なく粉体が付着されるようにしているので、転写できずに欠落する部分を無くして形成した画像をそのまま高品質で被転写物に転写することができ、引用文献４に記載された転写方法の課題も解決することができる。
【０００９】
また、請求項２に記載するように、前記粉体を前記インクに混合して前記画像を形成するようにしてもよい。このようにすれば、画像形成の後に粉体を振り掛ける工程が不要になるほか、画像を形成した部分以外の部分（非画像形成部）の粉体を除去する工程も不要にできる。
粉体の「グレード」は、例えば粉体（粉体の集合物）１ｋｇに含まれる前記粉体の粒径のばらつきとその占有率とによって表すことができる。本発明に好適に用いることができる前記粉体は、請求項３に記載するように、粒径７５μm以下の占有率が８７％以上である。粒径１５０μｍ以上のものは含まないのが好ましい。このような粉体であれば、請求項１に記載の方法では画像形成した後のインクに隙間なく粉体を付着させることができるとともに、請求項２に記載の方法ではインクと均一に混合でき、転写画像に欠落が生じないものである。前記粉体としては、例えば請求項４に記載するようなウレタン、アクリル、ポリエステル又はポリアミド若しくはこれらの樹脂粉体又はこれらの混合体を用いることができる。なお、請求項２に記載の方法においては、前記粉体に替えて前記液体樹脂を用いることができ、常温で液体であり、かつ、前記インクと混合できるもので、加熱によって固化又は硬化することで前記画像を布地などの被転写物に固着させることができるものであれば、市販されている種々のものを用いることができる。例えば不飽和ポリエステル樹脂やビニルエステル樹脂を用いることができる。
【００１０】
請求項５に記載するように、前記画像を複数に分けて形成し、第一の画像を形成した後に第二の画像を形成してもよい。このようにすることで、複数に分けて画像を転写することで、例えば異なる色合いのインクから形成される画像であっても被転写物に転写することが可能になる。請求項６に記載するように、前記被転写物に転写した前記画像の上に、金箔、銀箔、銅箔又はアルミ箔を含む箔を載せ、前記箔の上から前記画像形成部分を前記接着剤層が溶融する温度で加熱・加圧することで前記画像に前記箔を貼り付けた後、前記箔を前記被転写物から取り除くことで、前記画像形成部分のみに前記箔を貼着するようにしてもよい。
本発明に用いられる前記粉体の色は、無色透明、前記画像と一致したもの、前記画像と異なるものなどを用いることができるが、白色のものを用いることで、例えば黒地の被転写物に黒、青、赤など目立たない色のインクで画像を形成するような場合に、画像と被転写物との間に白色層を形成することができ、前記画像を目立たせることができる。
また、画像の異なる部分ごとに異なる色の粉体又は異なる種類の粉体を用いる場合は、当該部分の画像を形成して粉体を付着させた後、違う部分の画像を形成して別の色の粉体を形成する作業を繰り返せばよい。
【発明を実施するための最良の形態】
【００１１】
本発明の好適な実施形態について、図を参照しながら詳細に説明する。
図１は本発明の転写印刷方法の一実施形態にかかり、転写印刷の手順を示す図である。
【００１２】
図１（ａ）に示すように、基材１の上に剥離層２を形成した転写シートＩを準備する。転写シートＩとしては、以下の条件を満たすものを選択する。
(i)非撥水性でインクの乗りが良好なもの
(ii)画像を形成した後、前記粉体を振り掛けるまでの間、前記粉体の付着性を保持するだけのインクの非浸透性を有するものであること
このような転写シートＩとしては市販のものを用いることができる。好適には、有限会社コーワテクノア社製のＭＰシートを用いることができる。
次に図１（ｂ）に示すように、剥離層２を形成した転写シートＩの表面に、インクジェットプリンタや手書きでインク３を塗工し、画像を形成する。インク３としては、後述する粉体（樹脂粉体４）が付着できる溶剤を含むインク３を用いる。例えば、水を主成分とする溶剤に顔料を添加した水性顔料インクを好適に用いることができる。このような顔料インクで転写した画像は、耐洗濯性、耐水性、耐候性に優れるという利点がある。
このようなインク３としては、インクジェットプリンタに一般に使用されている市販のもの（例えば、セイコーエプソン社製ＰＸシリーズインク）を用いることができる。
【００１３】
塗工したインク３が樹脂粉体４の付着性を保持している間に、図１（ｃ）に示すように、篩いなどを用いて転写シートＩの上から画像を形成した転写シートＩの表面の全面に、樹脂粉体４をまんべんなく振りかける。樹脂粉体４としては、転写シートIに浸透しておらず、かつ、未だ乾燥していない状態のインク３に付着でき、転写時の加熱により溶融して被転写物である布地ＩＩに固着できるものであればよく、その材質や形状は問わないが、転写時の加熱（加熱温度１４０℃〜１８０℃）で溶融する市販のウレタン樹脂の粉体やポリエステル樹脂の粉体（例えば東レ株式会社製「ケミット」（登録商標）Ｒシリーズ）、アクリル樹脂、ポリアミド樹脂の粉体を好適に用いることができる。これら樹脂粉体４は単独で用いてもよいが、複数種類を混合して用いてもよい。
【００１４】
また、樹脂粉体４は、上記したようにインク３によって形成された画像を欠落なく被転写物に転写できるもの、すなわち、インク３の表面に振り掛けられた樹脂粉体４が、インク３を塗工していない部分の樹脂粉体４を除去した後にも隙間なくインク３の表面を覆うことができるものを選択する。１ｋｇ単位など、袋詰めなどの形態で市販されている樹脂粉体（樹脂粉体４の集合物）には、所定粒径を越える樹脂粉末４を含むものがある。しかし、所定粒径よりも大きい粒径の樹脂粉末４が含まれていると、画像を形成しなかった部分の樹脂粉体４を除去する際の振動や転写紙の傾斜によって、インク３に直接付着せずに他の樹脂粉体４の上に乗った状態の所定粒径を越える樹脂粉体４の一部が自重によりインク３の上から脱落してしまい、当該脱落した部分で樹脂粉末４間の隙間ができると考えられる。そのため、このような脱落が生じないように、前記所定粒径の樹脂粒子４のみによって構成されたグレードのものを用いる。
【００１５】
下記の表１は、市販されている共重合ポリエステルを主体とする樹脂粉体（樹脂粉体４の集合物）のグレードｉ〜ｖと、各グレードｉ〜ｖに含まれる樹脂粉体４の粒度のばらつきとの関係を示すものである。また、図３は、各グレードｉ〜ｖｉに含まれる樹脂粉体４の粒径（横軸：μｍ）と各粒径ごとの樹脂粉体４の占有率（立軸：％）との関係を示すグラフである。
【００１６】
【表１】
2019171840.tif 000003
【００１７】
表１に示すグレードｉ〜ｖの樹脂粉末４を用いて、本発明の方法により木綿地のＴシャツへの転写印刷を行った。その結果、グレードivが良好（目視で確認できるような画像欠落は認められず）で、グレードｖが最適（画像欠落は認められず）であった。グレードivとグレードｖは、いずれも占有率のピーク値が粒径４４μm未満のところにあり、前記ピーク値はほぼ５０％（グレードivで５０％、グレードｖで４８％）であった。また、１５０μｍ以上の樹脂粉体４の含有率はともに０で、７５μｍ未満の占有率はグレードivで８７％、グレードｖで９３％であった。この試験により、図３に示すグラフにおいて粒径の分布が一点鎖線で囲まれた領域内に収まるグレードのものを好適に用いることができることがわかった。なお、共重合ポリエステルを主体とする樹脂粉体４によって接着ができる被転写体であれば、木綿地以外の他の生地への転写についても同様の結果が得られると推測できる。また、樹脂粉体４の材質を適宜に選択することで、木材、石材、陶器、ガラス、金属などあらゆる被転写物への転写についても同様の結果が得られると推測できる。
【００１８】
樹脂粉体４は無色透明の他、白色又は他の色に着色したものを用いることができる。
無色透明のものを用いることで、転写後もインク３の本来の色を発色させることができる。着色した樹脂粉体４を用いることで、インク３と協働して転写後にグラディエーションを生じさせたり、インク３の色を際立たせたりすることができる。例えば黒の布地ＩＩに青色や赤色といったインク３を用いて形成した画像を転写するような場合は、布地ＩＩの色によって画像が目立たなくなるが、白色の樹脂粉体を用いることで、画像を際立たせることができる。
【００１９】
次に図１（ｄ）に示すように、インク３を塗工していない部分の樹脂粉体４を除去する。インク３を塗工していない部分で樹脂粉体４は剥離層２の上に乗っているだけであるので、転写シートＩから容易に余分な樹脂粉体４を振り落とすことができる。また、インク３の上に乗った樹脂粉体４は、インク３への直接付着、表面張力や毛管現象などによって樹脂粉体４間を上昇したインク３への付着、樹脂粉体４どうしの付着力（静電力など）などにより、余分な樹脂粉体４の振り落しの際には脱落せず、インク３の表面を隙間なく覆う。図１（ｄ）に示すように転写シートＩを反転させ、図１（ｅ）に示すように、インク３を塗工した部分（画像を形成した部分）に樹脂粉体４が隙間なく付着した転写シートＩを、被転写物である布地ＩＩに重ね合わせる。
【００２０】
以後、通常の転写印刷と同様に布地ＩＩの上から転写シートＩを重ねた部分を加圧・加熱し、樹脂粉体４を溶融させて画像を布地ＩＩに転写させる。加圧・加熱によって、インク３と樹脂粉体４とが混ざり合い（混ざり合ったインクを符号３′で示す）、図１（ｆ）に示すように、インク３′の冷却後に画像が布地ＩＩに強固に固定される。この後、転写シートＩを布地ＩＩから剥がす。布地ＩＩの画像が転写されていない部分には接着層が形成されないので、当該部分は布地ＩＩの元のままの風合いが保たれる。
【００２１】
図２は本発明の転写印刷方法の他の実施形態にかかり、その手順を示す図である。
転写シートＩを準備する工程（図１（ａ））及び転写シートＩから布地ＩＩに画像を転写する工程（図１（ｅ）（ｆ））は先の実施形態と同様であるので、ここではその図示及び説明は省略する。
この実施形態では、インク３の色や種類が異なる部分ごとに、色や種類の異なる樹脂粉体４ａ，４ｂを使い分けるものとする。以下の説明では、例えば赤色のインク３ａを用いた部分には赤色の樹脂粉体４ａを用い、青色のインク３ｂを用いた部分では青色の樹脂粉体４ｂを用いるものとして説明する。
【００２２】
図２（ａ）に示すように、転写シートＩの表面に赤色のインク３ａで画像の一部を形成し、インク３ａが付着性を保持している間に、図２（ｂ）に示すように赤色の樹脂粉体４ａを振りかけてインク３ａに付着させる。図２（ｃ）に示すように、余分な樹脂粉体４ａを振るい落とした後、青色のインク３ｂを塗工して画像の残りの部分を形成する。
【００２３】
この後、図２（ｄ）に示すように青色の樹脂粉体４ｂを振りかけてインク３ｂに付着させる。このとき、赤色のインク３ａの上にも樹脂粉体４ｂが振りかけられることになるが、樹脂粉体４ａによって赤色のインク３ａへの青色の樹脂粉体４ｂの付着が阻害される。また、赤色のインク３ａの乾燥後に青色の樹脂粉体４ｂを振りかけるようにすれば、たとえ赤色のインク３ａ上の樹脂粉体４ａの一部に隙間があったとしても、赤色のインク３ａに青色の樹脂粉体４ｂが付着することはない。
【００２４】
以上の手順で赤色のインク３ａに赤色の樹脂粉体４ａを付着させ、青色のインク３ｂに青色の樹脂粉体４ｂを付着させた転写シートＩを、図２（ｅ）に示すように反転させ、布地ＩＩ（図１参照）に重ね合わせて加熱・加圧することで、赤青二色のインク３ａ，３ｂで形成された画像が、赤青二色の樹脂粉体４ａ，４ｂからなる接着層によって布地ＩＩに転写・固定される。
【００２５】
［他の実施形態］
上記の実施形態ではインクで画像を形成した後に粉体を振り掛けているが、この実施形態では、粉体を混合したインクで画像を形成している。また、前記粉体に代えて、常温で液体であり加熱することで固化又は硬化する液体樹脂をインクに混合してもよい。前記液体樹脂は、加熱することで固化又は硬化して、布地などの被転写物に前記画像を固着できるものであればよく、市販ものを用いることができる。例えば、不飽和ポリエステル樹脂やビニルエステル樹脂などを用いることができる。粉体と液体樹脂とを適量ずつインクに混合させてもよい。この実施形態で用いることのできるインクは、前記粉体又は液体樹脂と混合できるものであればよい。粉体又は液体樹脂を混合させたインクを使って画像を形成した後の工程については、上記の実施形態と同様である。この実施形態によれば、画像形成後に粉体の添加を行う必要がなく、また、画像を形成した部分以外の部分（非画像形成部）の粉体を除去する必要もない。
【００２６】
本発明の好適な実施形態について説明したが、本発明は上記の説明により限定されるものではない。
例えば、上記の説明では粉体４，４ａ，４ｂはウレタンやポリエステル、アクリル、ポリアミドなどの樹脂粉体又はこれらを混合した混合樹脂粉体であるとして説明したが、転写時の熱により溶融して被転写物に接着・固定されるものであればこれ以外の樹脂粉体でもよく、また、同様の作用・効果を奏するのであれば、樹脂以外の粉体を用いてもよい。
また、本発明に使用できるインクとしては、上記した水性顔料インクに限らず、油性インクや染料インク（昇華インクを含む）も使用が可能である。
【産業上の利用可能性】
【００２７】
本発明の転写印刷方法は、被服やタオル、幟、旗などの布地への転写のほか、接着剤である粉体の材質を適宜に選択することで、木材、石材、陶器、ガラス、金属などあらゆる被転写物への転写に適用が可能である。
【図面の簡単な説明】
【００２８】
【図１】本発明の転写印刷方法の一実施形態にかかり、その手順を説明する図である。
【図２】本発明の転写印刷方法の他の実施形態にかかり、その手順を説明する図である。
【図３】本発明に用いられる樹脂粉体のグレードごとの粒径のばらつきを示すグラフである。
【符号の説明】
【００２９】
１        基材
２        剥離層
３，３ａ，３ｂ      インク
４，４ａ，４ｂ      樹脂粉体
Ｉ        転写シート
ＩＩ      布地（被転写物）
【図１】
2019171840.tif 000004
【図２】
2019171840.tif 000005
【図３】
2019171840.tif 000006